(57)【特許請求の範囲】
【請求項１】
楽器本体と、
前記楽器本体の前部に配設された鍵盤部と、
静電型スピーカを備え板状に構成されて前記楽器本体の後部に配設され、前記鍵盤部の演奏操作に応じて楽音を発生させる面スピーカと、
前記楽器本体における前記鍵盤部の後部上方に設けられ、前記面スピーカから発する音を奏者側に通過させるための第１の放音部と、
前記楽器本体の口棒部に設けられ、前記面スピーカから発する音を奏者側に導くための第２の放音部と、を有し、
前記面スピーカは、平面視において後方に凸となるよう湾曲していることを特徴とする電子鍵盤楽器。
【請求項２】
前後にスライド移動して、前記鍵盤部を覆う閉状態と前記鍵盤部を開放して演奏可能にする開状態とに遷移する鍵盤蓋を有し、前記鍵盤蓋を開状態にしたとき、前記面スピーカのうち前記鍵盤蓋の後端部より上の領域から前記鍵盤蓋の上方を通って前記第１の放音部までの放音経路が形成されることを特徴とする請求項１記載の電子鍵盤楽器。
【請求項３】
前記楽器本体の内部において棚板の上に配設され、後部上面が後方ほど低い斜面となっているスピーカボックスを有し、前記スピーカボックスの後端部が前記面スピーカの中央位置よりも下に位置し、前記面スピーカから前記斜面の上方を通って前記第１の放音部までの放音経路が形成されることを特徴とする請求項１記載の電子鍵盤楽器。
【請求項４】
前記面スピーカは、側面視において前記第１の放音部に正対するように、後傾方向に傾けて配置されていることを特徴とする請求項１〜３のいずれか１項に記載の電子鍵盤楽器。
【請求項５】
前後にスライド移動して、前記鍵盤部を覆う閉状態と前記鍵盤部を開放して演奏可能にする開状態とに遷移する鍵盤蓋を有し、前記鍵盤蓋を開状態にしたとき、前記面スピーカのうち前記鍵盤蓋の後端部よりも低い領域から前記鍵盤蓋の下方を通って前記第２の放音部までの放音経路が形成されることを特徴とする請求項１〜４のいずれか１項に記載の電子鍵盤楽器。
【発明の詳細な説明】
【技術分野】
【０００１】
本発明は、静電型スピーカを利用した電子鍵盤楽器に関する。
【背景技術】
【０００２】
従来、電子鍵盤楽器においては、発音手段としてコーンスピーカを設けるのが一般的である。コーンスピーカは、楽器本体の後部、底部、上部等、機種によって色々な箇所に配設される。その中でも、楽器本体の後側の聴衆に向かって放音したいような場合は、コーンスピーカを楽器本体の後部に向けて設けるのが比較的適している。しかし、通常設けられる左右２つのコーンスピーカによっては、後方に広く均等に放音する上で十分でない。しかも、奏者にとっては放音方向が反対側となるため、そのままでは楽音を良好にモニタするのが容易でない。
【０００３】
そこで、モニタ専用のコーンスピーカが奏者側（前側）に設けられる楽器もある。しかし、モニタ専用のコーンスピーカを後方への放音用とは別に設けなければならない。また、モニタ専用のコーンスピーカから発せられる楽音は、いかにも電子楽器の楽音であり、楽器全体が鳴っているような自然楽器の音とは異なる。
【０００４】
ところで、発音手段として、静電型スピーカを利用した面スピーカが知られている（下記特許文献１、２）。このような面スピーカを電子鍵盤楽器の発音手段に利用することが考えられる。
【先行技術文献】
【特許文献】
【０００５】
【特許文献１】特開２００８−０２８６５２号公報
【特許文献２】特開２００８−２２７８３２号公報
【発明の概要】
【発明が解決しようとする課題】
【０００６】
しかしながら、静電型スピーカは、コーンスピーカに比べれば音響伝達効率は高くないため、音響を発する面積を大きく確保する必要がある。特に、上記従来のような面スピーカをモニタ用にも利用する場合に、それを従来のモニタ専用スピーカと同じような楽器本体の前側の箇所に配設したとすると、大きな面積を確保するのは困難である。
【０００７】
本発明は上記従来技術の問題を解決するためになされたものであり、その目的は、後方に広く均等に放音すると共に、奏者に対して効率的に音を伝えることができる電子鍵盤楽器を提供することにある。
【課題を解決するための手段】
【０００８】
上記目的を達成するために本発明の請求項１の電子鍵盤楽器は、楽器本体（１０）と、前記楽器本体の前部（１０ａ）に配設された鍵盤部（ＫＢ）と、静電型スピーカを備え板状に構成されて前記楽器本体の後部（１０ｂ）に配設され、前記鍵盤部の演奏操作に応じて楽音を発生させる面スピーカ（３０）と、前記楽器本体における前記鍵盤部の後部上方に設けられ、前記面スピーカから発する音を奏者側に通過させるための第１の放音部と、前記楽器本体の口棒部に設けられ、前記面スピーカから発する音を奏者側に導くための第２の放音部と、を有し、前記面スピーカは、平面視において後方に凸となるよう湾曲していることを特徴とする。
【０００９】
好ましくは、前後にスライド移動して、前記鍵盤部を覆う閉状態と前記鍵盤部を開放して演奏可能にする開状態とに遷移する鍵盤蓋（２０）を有し、前記鍵盤蓋を開状態にしたとき、前記面スピーカのうち前記鍵盤蓋の後端部（２２ａ）より上の領域から前記鍵盤蓋の上方を通って前記第１の放音部までの放音経路（Ｒ１）が形成される（請求項２）。
【００１０】
好ましくは、前記楽器本体の内部において棚板（１１）の上に配設され、後部上面が後方ほど低い斜面（２７）となっているスピーカボックス（２５）を有し、前記スピーカボックスの後端部（２７ａ）が前記面スピーカの中央位置（Ｐ）よりも下に位置し、前記面スピーカから前記斜面の上方を通って前記第１の放音部までの放音経路（Ｒ３、Ｒ４）が形成される（請求項３）。
【００１１】
好ましくは、前記面スピーカは、側面視において前記第１の放音部に正対するように、後傾方向に傾けて配置されている（請求項４）。
【００１２】
好ましくは、前後にスライド移動して、前記鍵盤部を覆う閉状態と前記鍵盤部を開放して演奏可能にする開状態とに遷移する鍵盤蓋（２０）を有し、前記鍵盤蓋を開状態にしたとき、前記面スピーカのうち前記鍵盤蓋の後端部（２２ａ）よりも低い領域から前記鍵盤蓋の下方を通って前記第２の放音部までの放音経路（Ｒ２）が形成される（請求項５）。
【００１３】
なお、上記括弧内の符号は例示である。
【発明の効果】
【００１４】
本発明の請求項１によれば、後方に広く均等に放音すると共に、奏者に対して効率的に音を伝えることができる。
【００１５】
請求項２によれば、開蓋状態において奏者側に効率よく音を伝えることができる。
【００１６】
請求項３によれば、スピーカボックスを内蔵した構成において奏者側に効率よく音を伝えることができる。
【００１７】
請求項４によれば、第１の放音部を通じた奏者側への放音効率が一層高まる。
【００１８】
請求項５によれば、開蓋状態において奏者側に効率よく音を伝えることができる。
【図面の簡単な説明】
【００１９】
【図１】本発明の第１の実施の形態に係る電子鍵盤楽器の斜視図、後部の平面図である。
【図２】楽器本体の模式的な側面図、右部後部の内部を示す斜視図、面スピーカユニットの右部を一部を断面で示す斜視図である。
【図３】本発明の第２の実施の形態に係る電子鍵盤楽器の斜視図、楽器本体の模式的な側面図である。
【図４】面スピーカユニットの配置の変形例を示す模式図である。
【発明を実施するための形態】
【００２０】
以下、本発明の実施の形態を図面を参照して説明する。
【００２１】
（第１の実施の形態）
図１（ａ）は、本発明の第１の実施の形態に係る電子鍵盤楽器の斜視図である。図１（ｂ）は、電子鍵盤楽器の後部の平面図である。図２（ａ）は、楽器本体１０の模式的な側面図である。
【００２２】
図１（ａ）に示すように、この電子鍵盤楽器は、脚部２８に支持された楽器本体１０を備える。楽器本体１０の前部１０ａには、鍵盤部ＫＢが配設される。楽器本体１０の、天板１２、背板１３及び左右両側の側板３９で囲まれる内部において、楽器本体１０の後部１０ｂに面スピーカユニット３０が配設される。
【００２３】
鍵盤部ＫＢの後部ＫＢａの上方において、楽器本体１０には、第１の開口部１５が設けられる（図１（ａ）、図２（ａ））。第１の開口部１５には、多数の透孔を有するサランネット１６が取り付けられている。また、楽器本体１０の前部１０ａの口棒部１４には、多数の小孔を有してなる第２の開口部１７が設けられる。第２の開口部１７にもサランネットを取り付けてもよい。
【００２４】
楽器本体１０には、鍵盤蓋２０が配設されている。鍵盤蓋２０は、前蓋２１と後蓋２２とが回動軸２３で回動自在に連結されてなる。鍵盤蓋２０は、側板３９の内側部に形成されたガイド溝（不図示）に沿って前後方向にスライド移動自在となっている。鍵盤蓋２０は、閉状態で鍵盤部ＫＢを上方から覆い、図１（ａ）、図２（ａ）に示す開状態では、鍵盤部ＫＢを開放して演奏可能にする。
【００２５】
開状態における前蓋２１の下方であって、棚板１１の上に、不図示の電子回路ユニットが配設される。また、前蓋２１の下方で棚板１１の上に、電子回路ユニットだけでなく、コーンスピーカを配設してもよい。コーンスピーカを配設する場合は、棚板１１に、放音用の開口部を設ける。この電子回路ユニットにより、鍵盤部ＫＢの演奏操作に応じた電子楽音が面スピーカユニット３０（及び存在するコーンスピーカ）から発生する。
【００２６】
図２（ｂ）は、楽器本体１０の右部後部の内部を示す斜視図、図２（ｃ）は、面スピーカユニット３０の右部を一部を断面で示す斜視図である。
【００２７】
図１（ｂ）に示すように、面スピーカユニット３０は、平面視において後方に凸となるよう湾曲している。面スピーカユニット３０の基本構成は、例えば、特開２００８−２２７８３２号公報等の文献に示されるような公知のものと同じで、給電方法も従来と同様である。
【００２８】
図２（ｃ）に示すように、面スピーカユニット３０は、左右方向に長い略長方形の枠体３１に面スピーカ部３２が支持されてなる。詳細は図示しないが、面スピーカ部３２は、静電型スピーカでなり、振動板、絶縁材及び固定電極を主要部として板状に構成される。図２（ｃ）において、面スピーカ部３２の厚みは誇張して厚めに描かれており、実際には電極を含めても１ｍｍ程度の薄さである。固定電極へ所定の電圧が印加されると共に、振動板上にバイアス電圧が印加されると、静電力によって振動板が振動することで音響が発生する。
【００２９】
ちなみに、図１のように、面スピーカ部３２を楽器本体１０の後面全体に広く延在させることができれば、バイアス電圧を一切かけることなくオーディオ出力信号のみでモニタスピーカ並のレベルの音量を発生させることも可能である。
【００３０】
枠体３１は、自由状態で図１（ｂ）に示す円弧状となるように形成してもよいが、当該円弧状に撓むことが可能な程度の柔軟性を有するように真っ直ぐに形成してもよい。例えば、枠体３１は、金属板に樹脂をアウトサート成形して製造される。図２（ｃ）に示すように、枠体３１の内側の溝に対して面スピーカ部３２を嵌め、複数の締結孔３３を介して面スピーカ部３２を枠体３１に締結することで、面スピーカユニット３０が製造される。
【００３１】
背板１３が樹脂で構成される場合を例にとると、図２（ｂ）に示すように、背板１３には、放音用の多数の小孔１３ａが形成される。背板１３の左右端部に鉛直方向のボス１９が形成される。棚板１１の締結用穴を介して、ボス１９に対して下方からネジ２９を螺合することで、棚板１１と背板１３とが固定される。
【００３２】
また、背板１３の前面には、複数の鉛直リブ１８が形成される。鉛直リブ１８の前方への突出高さは、左右端部のものほど高く、左右方向中央部のものが最も低い。従って、各鉛直リブ１８の前端位置を結ぶ線は、平面視で円弧状になっている。
【００３３】
そして、鉛直リブ１８の前端に面スピーカユニット３０の枠体３１を当接させ、隣接する所定の２つの鉛直リブ１８の間においてネジ止めする。それと共に、面スピーカ部３２の左右方向中間位置における背面を、フェルト等の緩衝材を介して鉛直リブ１８の前端に両面テープ等を用いて接着する。これにより、図１（ｂ）に示すように、面スピーカユニット３０を円弧状に湾曲させて配設することができる。面スピーカユニット３０の配設手法は一例であり、問わない。
【００３４】
面スピーカユニット３０からは、前後方向双方に音が放音される。後方への放音に関しては、背板１３の小孔１３ａ（図２（ｂ））を通じて放音される。面スピーカユニット３０が後方に凸であるので、音が左右方向に広く拡散し、楽器本体１０の後側の聴衆に向かって広く均等に放音される。
【００３５】
面スピーカユニット３０から発する音の奏者側（前方）への放音に関しては、第１の開口部１５、第２の開口部１７が、奏者側に放音するための主要な放音部となる。ただし、鍵盤部ＫＢにおける各鍵間の隙間や、鍵盤蓋２０と楽器本体１０との間等の各所の隙間を通じても、放音される。面スピーカユニット３０が後方に凸であるので、いわゆる音響レンズ効果が作用し、奏者側への音の伝達効果は平面配置にした場合に比べて増幅される。
【００３６】
ここで、図２（ａ）に示すように、演奏時には通常、鍵盤蓋２０は開状態にある。このとき、鍵盤蓋２０の後端部でもある後蓋２２の後端部２２ａは、閉状態にあるときよりも低くなり、この例では特に、後端部２２ａは、上下方向における面スピーカユニット３０の中央位置Ｐよりも下に位置する。従って、面スピーカユニット３０の、主に後端部２２ａよりも上の領域から発した音が、鍵盤蓋２０の上方の放音経路Ｒ１を通って第１の開口部１５を通過して奏者側に放音される。一方、面スピーカユニット３０の、主に後端部２２ａよりも下の領域から発した音は、鍵盤蓋２０の下方の放音経路Ｒ２を通って第２の開口部１７を通過して奏者側に放音される。
【００３７】
この例では、後端部２２ａよりも下の領域は僅かであるが、後端部２２ａの位置によっては、放音経路が大きく上下２つに分流されることになる。このように、面スピーカユニット３０からの音が、第１の開口部１５、第２の開口部１７、及び各所の隙間を通じて奏者側に伝達される。これにより、楽器本体１０の全体が鳴っているようにも認識される。そのため、モニタ用のコーンスピーカを楽器本体１０の前側に向けて設けた場合の音響に比し、自然楽器に近いものとなる。
【００３８】
面スピーカユニット３０は、楽器本体１０の後部１０ｂにおいて背板１３に配設されたので、大きな面積を確保するのに有利である。また、後方に広く放音するにも有利である。それでありながら、楽器本体１０の内部を通って奏者側に放音される工夫がなされているので、演奏者にとって音をモニタするのにも役立つ。特に、面スピーカユニット３０は平面視で円弧状であり、左右端部が内側を向いているので、奏者の位置に対して集音作用が生じ、奏者に効率的に音が届く。
【００３９】
よって、本実施の形態によれば、後方に広く均等に放音すると共に、奏者に対して効率的に音を伝えることができる。特に、第１の開口部１５、第２の開口部１７を設けたことで、音を一層効率よく奏者に届かせることができる。
【００４０】
また、鍵盤蓋２０の上方に放音経路Ｒ１が形成されるので、仮に面スピーカユニット３０が楽器本体１０の上半部の領域にしか設けられない構成や、第２の開口部１７が設けられない構成であったとしても、開蓋状態において奏者側に効率よく音を伝えることができる。さらに、鍵盤蓋２０の下方に放音経路Ｒ２が形成されるので、鍵盤蓋２０の開状態における後端位置が仮に高い構成や、第１の開口部１５が設けられない構成であったとしても、開蓋状態において奏者側に効率よく音を伝えることができる。
【００４１】
（第２の実施の形態）
図３（ａ）は、本発明の第２の実施の形態に係る電子鍵盤楽器の斜視図である。図３（ｂ）は、楽器本体１０の模式的な側面図である。
【００４２】
第２の実施の形態では、第１の実施の形態に対して鍵盤蓋２０を廃止すると共に、背板１３の形状を異ならせたほか、放音経路の形成に工夫を施したスピーカボックス２５を設けた点が相違する。その他の構成は第１の実施の形態と同様である。
【００４３】
図３（ａ）、（ｂ）に示すように、楽器本体１０の内部で鍵盤部ＫＢの後方において、棚板１１の上には、左右一対のスピーカボックス２５が配設される。スピーカボックス２５は不図示のコーンスピーカを有し、棚板に下方に開口して形成された放音部１１ａから放音するように構成される。左右のスピーカボックス２５は左右対称の形状に形成される。スピーカボックス２５の前半部の上面２６は水平であるが、後半部の上面（乃至後面）は斜面２７となっている。斜面２７は、後方ほど低くなっている。スピーカボックス２５の後端部でもある斜面２７の後端部２７ａは、棚板１１の上面とほぼ同高である。
【００４４】
また、面スピーカユニット３０の湾曲形状は第１の実施の形態と同じである。ただし、背板１３が予め湾曲して形成されている。そして、背板１３の前面の複数の鉛直リブ１８（図２（ｂ）参照）は、前方への突出高さが均一となっている。従って、背板１３に予め設けられたカーブに沿って面スピーカユニット３０が配設されることになる。このように、グランドピアノの外形デザインを意識する上で、楽器本体１０の後側曲面に沿って面スピーカユニット３０をスペース上の無駄なく取り付けることができ、デザイン上の制約も小さい。
【００４５】
かかる構成において、面スピーカユニット３０からの後方への放音に関しては、第１の実施の形態と同様であり、背板１３の小孔１３ａを通じて放音される。一方、奏者側（前方）への放音に関しては、図３（ｂ）に示すように、面スピーカユニット３０のうちスピーカボックス２５の上面２６より高い領域からの音は、主にスピーカボックス２５の上面２６より高い位置の放音経路Ｒ３を通って第１の開口部１５を通過して奏者側に放音される。また、面スピーカユニット３０のうちスピーカボックス２５の上面２６より低い領域からの音は、主にスピーカボックス２５の斜面２７及び上面２６に沿うようにして、放音経路Ｒ４を通って第１の開口部１５を通過して奏者側に放音される。斜面２７は音を反射させて前方に向かわせる効果もある。
【００４６】
なお、不図示の電子回路ユニットについても、２つのスピーカボックス２５の間等に配設され、スピーカボックス２５の斜面２７と同じような後側の斜面を有するとする。従って、電子回路ユニットが位置する領域においても、放音経路Ｒ３、Ｒ４と同様の経路で放音される。もちろん、楽器本体１０内には、スピーカボックス２５や電子回路ユニットが介在しない空隙も存在するので、一部の音は、第２の開口部１７、上記空隙及び各所の隙間を通じて奏者側に伝達される。
【００４７】
本実施の形態によれば、後方に広く均等に放音すると共に、奏者に対して効率的に音を伝えることに関し、第１の実施の形態と同様の効果を奏することができる。特に、スピーカボックス２５の後部上面を斜面２７としたので、スピーカボックス２５を内蔵した構成において奏者側に効率よく音を伝えることができる。
【００４８】
なお、斜面２７の後端部２７ａは低い方がよいが、スピーカボックス２５の最高位置より低く、且つ面スピーカユニット３０の中央位置Ｐよりも低い位置とすることで、第１の開口部１５からの最低限の放音効率は確保される。
【００４９】
ところで、上記各実施の形態においては、面スピーカユニット３０は鉛直方向に真っ直ぐであったが、図４に変形例を示すように、前後方向に傾斜を設けてもよい。例えば、側面視において第１の開口部１５に正対するように、面スピーカユニット３０を後傾方向に傾けて配置する。具体的には、側面視において、上下方向における面スピーカユニット３０の中央位置Ｐと第１の開口部１５の中央位置Ｐ２とを結ぶ直線Ｌに対して、面スピーカユニット３０が垂直となるように傾斜させる。これにより、第１の開口部１５を通じた奏者側への放音効率が一層高まる。
【００５０】
なお、上記実施の形態は一部を組み合わせてもよい。例えば、鍵盤蓋２０を有すると共に、背板１３が予め湾曲している構成を採用してもよい。あるいは、面スピーカユニット３０を有すると共に、背板１３が左右方向において真っ直ぐな構成を採用してもよい。
【符号の説明】
【００５１】
１０  楽器本体、  １１  棚板、  １４  口棒部、  １５  第１の開口部（第１の放音部）、  １７  第２の開口部（第２の放音部）、  ２０  鍵盤蓋、  ２２ａ  後端部、  ２７  斜面、  ２７ａ  後端部、  ２５  スピーカボックス、  ３０  面スピーカユニット（面スピーカ）、  Ｒ１〜Ｒ４  放音経路、  ＫＢ  鍵盤部、  ＫＢａ  後部、  Ｐ  中央位置
【図１】
0005732860.tif 000002
【図２】
0005732860.tif 000003
【図３】
0005732860.tif 000004
【図４】
0005732860.tif 000005